(57)【要約】【課題】  軽量、小型で一人作業が容易であり、かつ移動手摺をガイドレールに載せた状態で補修可能なマンコンベアの移動手摺補修釜装置及びその移動手摺補修方法を得る。【解決手段】  移動手摺６の一部を挟み込んで加熱する補修釜１０と、この補修釜を加熱するヒータ１７を制御する加熱制御装置２０とからなるものにおいて、補修釜１０は、上部金型１１と、下部金型１２と、移動手摺の内側に配置される内部金型１３とで構成され、上部金型及び下部金型にはヒータを有する加熱カバー１４をそれぞれ取り付ける。上部金型及び下部金型には取っ手１６を設け、内部金型には通しボルト等からなる取っ手１５を設ける。【選択図】      図１
2005053687.tif 000002
【特許請求の範囲】
【請求項１】
移動手摺の一部を挟み込んで加熱する補修釜と、この補修釜を加熱するヒータを制御する加熱制御装置とからなるマンコンベアの移動手摺補修釜装置において、前記補修釜は、上部金型と、下部金型と、前記移動手摺の内側に配置される内部金型とで構成され、前記上部金型及び下部金型には前記ヒータを有する加熱カバーをそれぞれ取り付けたことを特徴とするマンコンベアの移動手摺補修釜装置。
【請求項２】
上部金型、下部金型及び内部金型はアルミ製であり、かつそれぞれの金型に取っ手を設けたことを特徴とする請求項１記載のマンコンベアの移動手摺補修釜装置。
【請求項３】
内部金型は複数個に分割されており、分割された各内部金型に取っ手を設けたことを特徴とする請求項２記載のマンコンベアの移動手摺補修釜装置。
【請求項４】
加熱カバーは、ヒータ及びサーモセンサを有し、上部金型の上面及び下部金型の下面にそれぞれ着脱自在に取り付けたことを特徴とする請求項１〜請求項３のいずれかに記載のマンコンベアの移動手摺補修釜装置。
【請求項５】
上部金型の上面及び下部金型の下面に、加熱カバーを収容するための凹部をそれぞれ設けたことを特徴とする請求項４記載のマンコンベアの移動手摺補修釜装置。
【請求項６】
ヒータの端子部は上部金型及び下部金型からそれぞれ突出されており、接続線を介して加熱制御装置の外部接続用端子に接続されることを特徴とする請求項１〜請求項５のいずれかに記載のマンコンベアの移動手摺補修釜装置。
【請求項７】
移動手摺の一部を挟み込んで加熱する補修釜と、この補修釜を加熱するヒータを制御する加熱制御装置とからなり、前記補修釜は、上部金型と、下部金型と、前記移動手摺の内側に配置される内部金型とで構成され、前記上部金型及び下部金型には前記ヒータを有する加熱カバーをそれぞれ取り付けたものにおいて、移動手摺の補修が必要な個所が乗降部付近の水平移動する範囲まで来るようにマンコンベアを運転して停止させる工程と、停止後に移動手摺の補修部分を含む一部をガイドレールから取り外し、浮き上がった状態で保持する工程と、移動手摺の補修部分に上部金型、下部金型及び内部金型をそれぞれ装着し、上部金型及び下部金型を所定の圧力で締め付ける工程と、ヒータの端子と加熱制御装置の外部接続用端子との間を接続線を介して接続する工程と、移動手摺をヒータにより所定の加熱温度で所定時間加熱する工程と、加熱終了後、上部金型、下部金型及び内部金型を移動手摺から取り外す工程と、浮き上がった状態の移動手摺をガイドレールに正常に復帰させる工程とを備えたことを特徴とするマンコンベアの移動手摺補修方法。
【請求項８】
上部金型、下部金型及び内部金型はアルミ製であり、かつそれぞれの金型に取っ手が設けられており、移動手摺の補修部分に上部金型、下部金型及び内部金型をそれぞれ装着する際、及び加熱終了後に上部金型、下部金型及び内部金型を移動手摺から取り外す際、上部金型、下部金型及び内部金型をそれぞれの取っ手を持って行うことをことを特徴とする請求項７記載のマンコンベアの移動手摺補修方法。
【発明の詳細な説明】
【技術分野】
【０００１】
この発明は、エスカレータ等のマンコンベアの移動手摺を補修するための移動手摺補修釜装置及びその移動手摺補修方法に関するものである。
【背景技術】
【０００２】
従来のエスカレータ等のマンコンベアの移動手摺においては、表面に生じた僅かな傷、例えば狭い範囲の引っかき傷や溶接時の火花の傷等、表面上のごく限られた範囲の傷であっても、移動手摺取替え工事に使用する大型で重い移動手摺補修釜装置を使用していたので、一人では持ち運びができず、運搬に車両が必要であった。また、取替え工事に用いる移動手摺補修釜装置は、鉄製であり、総重量が８０ｋｇ、長さが６５ｃｍであり、取扱いが面倒で、作業人数や作業時間も多大に必要とするので、面倒な作業となっていた。また、改良された移動手摺の補修釜装置として、小型軽量化を実現でき、補修釜の温度管理に要する時間を短縮させたものが提案されている（例えば、特許文献１参照）。
【０００３】
【特許文献１】特開２０００−１９８６６２号公報
【発明の開示】
【発明が解決しようとする課題】
【０００４】
従来のエスカレータ等のマンコンベアの移動手摺補修釜装置では、大きくて重い鉄製の釜を使用しているため、二人作業で予めマンコンベアの乗降部に補修釜装置を配置し、移動手摺をガイドレールから取り外す必要がある。表面ゴムの僅かな傷であっても、移動手摺をわざわざガイドレールから取り外した後、乗降部付近の踏段上へ降ろさなければならず、作業が面倒であった。また、特許文献１に記載のものは、小型軽量化を実現した事例であるが、補修釜の温度管理に重点を置いたものであり、移動手摺の僅かな傷をガイドレール上で補修することが可能な移動手摺補修釜装置とは言い難いものであった。    
【０００５】
この発明は、上述のような課題を解決するためになされたもので、その目的は、軽量、小型で一人作業が容易であり、かつ移動手摺をガイドレールに載せた状態で補修可能なマンコンベアの移動手摺補修釜装置及びその移動手摺補修方法を提供するものである。
【課題を解決するための手段】
【０００６】
この発明に係るマンコンベアの移動手摺補修釜装置は、移動手摺の一部を挟み込んで加熱する補修釜と、この補修釜を加熱するヒータを制御する加熱制御装置とからなるものにおいて、補修釜は、上部金型と、下部金型と、移動手摺の内側に配置される内部金型とで構成され、上部金型及び下部金型にはヒータを有する加熱カバーをそれぞれ取り付けたものである。
【０００７】
この発明に係るマンコンベアの移動手摺補修方法は、移動手摺の補修が必要な個所が乗降部付近の水平移動する範囲まで来るようにマンコンベアを運転して停止させる工程と、停止後に移動手摺の補修部分を含む一部をガイドレールから取り外し、浮き上がった状態で保持する工程と、移動手摺の補修部分に上部金型、下部金型及び内部金型をそれぞれ装着し、上部金型及び下部金型を所定の圧力で締め付ける工程と、ヒータの端子と加熱制御装置の外部接続用端子との間を接続線を介して接続する工程と、移動手摺をヒータにより所定の加熱温度で所定時間加熱する工程と、加熱終了後、上部金型、下部金型及び内部金型を移動手摺から取り外す工程と、浮き上がった状態の移動手摺をガイドレールに正常に復帰させる工程とを備えたものである。
【発明の効果】
【０００８】
この発明のマンコンベアの移動手摺補修釜装置によれば、補修釜は軽量、小型であるので、取り扱いが容易であり一人作業が可能となる。また移動手摺をわざわざ踏段上へ降ろすことなく、ガイドレールに載せた状態で補修作業が進められる。また加熱制御装置の操作により、加熱温度の調節が容易であり、移動手摺表面に出来た僅かな傷の補修作業が簡単に実施できる。
また、補修釜を金型と加熱カバーとの分割構成にしたので、特にヒータ部が破損した場合、現地にて予備のヒータと取り替えたり、修理が可能となる。
また、加熱ヒータを軽量な加熱カバーに設けたので、万一加熱不良があっても、加熱カバーだけ外してヒータの取り付け状況が容易に確認でき、必要な場合は工場持込み修理が容易となる。また加熱制御装置との接続も容易である。
【発明を実施するための最良の形態】
【０００９】
実施の形態１．
図１はこの発明の実施の形態１におけるマンコンベアの移動手摺補修釜装置の全体構成を示すシステム構成図、図２はこの発明の実施の形態１における補修釜装置にゴム手摺を装着した状態を示すマンコンベアの乗降部の側面図、図３は図２のIII−III線に沿った断面図、図４は図２のIV−IV線に沿った断面図、図５は補修釜装置の平面図、図６は図５のVI−VI線に沿った断面図、図７は補修釜装置とヒータとサーモセンサとの配置関係を示す平面図、図８はこの発明の実施の形態１におけるマンコンベアの移動手摺補修釜装置の回路構成図、図９は補修釜装置の操作制御部の正面図、図１０は同じく操作制御部の背面図、図１１は同じく操作制御部の側面図である。
図において、マンコンベアの移動手摺補修釜装置は、踏段４と同期移動する移動手摺６の一部を挟み込んで加熱する補修釜１０と、この補修釜を加熱するヒータを制御する加熱制御装置２０とから構成されている。補修釜１０は、上部金型１１、下部金型１２及び移動手摺６の内側に配置される内部金型１３とで構成されるアルミ製の金型部を備えており、また上部金型１１の上面及び下部金型１２の下面には、ヒータ１７及びサーモセンサ１８を収容するための凹部１１ａ、１２ａがそれぞれ設けられている。そして、上部金型１１上面の凹部１１ａ及び下部金型１２下面の凹部１２ａに、ヒータ１７及びサーモセンサ１８がそれぞれ設けられた上下の加熱カバー１４が取り付けられる。内部金型１３は３分割されており、分割された各内部金型１３ａ、１３ｂ、１３ｃに移動手摺６の内側に配置した状態で固定するための通しボルト１５が１本ずつ設けられており、その両端は金型寸法ＭからＮ寸法だけ突出し、取っ手の役目をしている。上部金型１１の上部及び下部金型１２の下部にはそれぞれ取っ手１６が取り付けられている。また、上下の加熱カバー１４は上部金型１１の上面及び下部金型１２の下面に取り付けビス１６ａによりそれぞれ着脱自在に取り付け固定されている。ヒータ１７の端子１７ａは上部金型１１及び下部金型１２から突出されている（図４〜図７参照）。補修釜１０は移動手摺６を挟んだ状態で、上部金型１１と下部金型１２をボルト、ナット１９により締め付け固定されている。アルミ製の金型は、従来の鉄製に比べ、加熱、冷却時間が１／６に短縮することができるとともに、長さ（Ｌ１）が１００ｍｍ、重さが１０ｋｇ以内で製作可能である。  
加熱制御装置２０は、外部接続用端子２１と、加熱制御用の制御回路２２と、この制御回路２２と電源コンセント２３を接続する電源スイッチ２４と、加熱制御装置２０を操作する操作部２５と、第１表示部２６ａ及び第２表示部２６ｂを有する表示部２６と、加熱温度を設定するための複数の操作釦２７とを備えている。
【００１０】
この発明の実施の形態１におけるマンコンベアの移動手摺補修釜装置の作業手順について説明する。
まず移動手摺６の補修が必要な個所が、マンコンベアの乗降部３付近の水平移動する範囲Ｌまでに来るようにマンコンベアを運転して停止させた後、移動手摺６をガイドレール５から取り外し、例えば木片等からなる浮かせ台７を間に挟み込み、補修釜１０を配置可能な長さＬ相当寸法に亘って、移動手摺６がガイドレール５から浮き上がった状態に保持する（図３参照）。次に、ガイドレール５から浮き上がっている移動手摺６の補修が必要な個所へ補修釜１０を装着する（図４〜図７参照）。すなわち、上部金型１１、下部金型１２、内部金型１３をそれぞれの取っ手１６、通しボルト１５の両端部を持ちながら装着作業を行う。補修釜１０は総重量が約１０ｋｇ以内であり、取り扱いが容易で一人作業が可能となる。内部金型１３は３つに分割されており、分割された各内部金型１３ａ、１３ｂ、１３ｃの通しボルト１５は金型部から長手方向に所定寸法突出し、内部金型１３を挿入、着脱する際の取っ手の役目を果たすものである。上部金型１１及び下部金型１２は、ボルト、ナット１９により、所定の圧力で移動手摺６を挟み込んでいる。次に、ヒータ１７の端子１７ａと、加熱制御装置２０の外部接続用端子２１とを接続線１７ｂで接続する。以上により、加熱制御装置２０に接続された補修釜１０に対し移動手摺６の補修が必要な個所が装着された状態であり、移動手摺６を加熱する準備作業である。
【００１１】
次に、電源スイッチ２４を投入し、加熱制御装置２０の操作釦２７を操作することにより、所定の加熱温度（加硫温度、例えば１５０℃）に設定すると、設定温度が表示部２６の第２表示部２６ｂに例えば１５０℃と表示されて、加熱カバー１４に取り付けられたヒータ１７へ通電される。ここで、ヒータ１７によって上部金型１１、下部金型１２が加熱され、また内部金型１３は下部金型１２との接触熱（熱伝導）によって加熱され、移動手摺６は上下と内側から加熱される。そして、例えば１５０℃の場合であれば約５分間程度経過して、加熱カバー１４に取り付けられたサーモセンサ１８によって検知され、第１表示部２６ａに表示される検出表示温度が、第２表示部２６ｂに示された設定温度の１５０℃になったことを確認した後、１５０℃の状態で所要時間、例えば約２０分間加熱を継続する。ここで、設定温度の１５０℃を越えると、サーモセンサ１８が動作して給電が断たれ、設定温度より下がると、再び給電されて、設定温度±２℃に保たれる。また、設定温度を低めの１３０℃に設定すれば、加熱時間は約４０分必要になるが、設定温度をどのように設定するかは移動手摺の傷の程度、周囲の雰囲気温度や湿度、移動手摺の色及び経年変化状況によって経験的に判断することになる。そして、この実施の形態においては、１５０℃で２０分間加熱した後、電源スイッチ２４を遮断するとともに、ヒータ１７の端子１７ａと加熱制御装置２０の外部接続用端子２１を接続する接続線１７ｂを取り外すことにより、補修釜１０と加熱制御装置２０の接続を外す。やがて、補修釜１０が冷めた状態になれば、ボルト、ナット１９を取り外し、上部金型１１、下部金型１２、内部金型１３をそれぞれの取っ手１６、通しボルト１５の両端部を持ちながら取り外し作業を行い、移動手摺６から補修釜１０を取り外す。そして、移動手摺６を浮き上がらせていた浮かせ台７を取り外し、移動手摺６を元通りガイドレール５に復帰させて、補修作業を完了する。なお、補修釜１０で、移動手摺６表面のゴム部が加硫加熱されて、ゴムに生じた傷が平滑にならされて補修されるが、補修釜１０から取り外した後、さらに補修部に対して人手による補修を加えても良い。  
【図面の簡単な説明】
【００１２】
【図１】この発明の実施の形態１におけるマンコンベアの移動手摺補修釜装置の全体構成を示すシステム構成図である。
【図２】この発明の実施の形態１における補修釜装置にゴム手摺を装着した状態を示すマンコンベアの乗降部の側面図である。
【図３】図２のIII−III線に沿った断面図である。
【図４】図２のIV−IVに沿った断面図である。
【図５】補修釜装置の平面図である。
【図６】図５のVI−VIに沿った断面図である。
【図７】補修釜装置とヒータとサーモセンサとの配置関係を示す平面図である。
【図８】この発明の実施の形態１におけるマンコンベアの移動手摺補修釜装置の回路構成図である。
【図９】補修釜装置の操作制御部の正面図である。
【図１０】同じく操作制御部の背面図断面図である。
【図１１】同じく操作制御部の側面図である。
【符号の説明】
【００１３】
３  乗降部、    
４  踏段
５  ガイドレール
６  移動手摺
７  浮かせ台
１０  補修釜
１１  上部金型
１２  下部金型
１１ａ、１２ａ  凹部  
１３  内部金型
１４  加熱カバー    
１５  通しボルト（取っ手）
１６  取っ手
１６ａ  取り付けビス
１７  ヒータ
１７ａ  ヒータ端子
１７ｂ  接続線
１８  サーモセンサ
１９  ボルト、ナット
２０  加熱制御装置
２１  外部接続用端子
２２  加熱制御回路
２３  電源コンセント
２４  電源スイッチ
２５  操作部
２６  表示部
２７  操作釦
【図１】
2005053687.tif 000003
【図２】
2005053687.tif 000004
【図３】
2005053687.tif 000005
【図４】
2005053687.tif 000006
【図５】
2005053687.tif 000007
【図６】
2005053687.tif 000008
【図７】
2005053687.tif 000009
【図８】
2005053687.tif 000010
【図９】
2005053687.tif 000011
【図１０】
2005053687.tif 000012
【図１１】
2005053687.tif 000013